(57)【特許請求の範囲】
【請求項１】
建物本体の外側に突出して設けられるバルコニーの支持構造において、
バルコニー本体を支持する支持梁を建物本体の大梁に接合し、
上記大梁に上下の補助梁の各一端部をピン接合するとともに、それら上下の補助梁の各他端部を建物本体の構成材にピン接合してなることを特徴とするバルコニーの支持構造。
【請求項２】
建物本体の外側に突出して設けられるバルコニーの支持構造において、
バルコニー本体を支持する支持梁に設けた支持梁固定プレートを建物本体の大梁の外面に添設し、大梁の内面に添設した補助梁固定プレートと上記支持梁固定プレートで大梁を挟み、それら両固定プレートを大梁に接合し、
上記補助梁固定プレートには上下の補助梁の各一端部をピン接合するとともに、それら上下の補助梁の各他端部を建物本体の構成材にピン接合してなることを特徴とするバルコニーの支持構造。
【請求項３】
前記建物本体が建物ユニットから構成され、前記バルコニー本体がバルコニー支持梁を予め備えたバルコニーユニットからなる請求項１又は２記載のバルコニーの支持構造。
【請求項４】
前記上下の補助梁の各他端部を、建物本体の前記大梁と間隔をおいて配設された別の梁にピン接合してなる請求項１〜３のいずれかに記載のバルコニーの支持構造。
【請求項５】
バルコニーを外側に突出して設けられる建物ユニットにおいて、
バルコニー本体と分離した支持梁を予め建物ユニットの大梁に仮固定し、この支持梁を大梁の側傍に一時的に格納可能としたことを特徴とする建物ユニット。
【発明の詳細な説明】
【０００１】
【発明の属する技術分野】
本発明はバルコニーの支持構造及び施工方法並びに建物ユニットに関する。
【０００２】
【従来の技術】
従来、建物本体の外側に突出して設けられるバルコニーは、特開平7-259178号公報に記載の如く、バルコニーユニットを構成するバルコニー本体に予め支持梁を設け、このバルコニー支持梁と同一直線上にこの支持梁に設けた支持梁固定プレートを建物ユニットの大梁の外面に添設し、補助梁の一端に設けた補助梁固定プレートを建物ユニットの上記大梁の内面に添設し、それら両固定プレートで大梁を挟み、それら両固定プレートを大梁に剛接合し、補助梁の他端部を建物ユニットの上記大梁と間隔をおいて配設された別の梁に剛接合して構築されている。
【０００３】
【発明が解決しようとする課題】
然しながら、従来技術には以下の問題点がある。
▲１▼バルコニー本体のための支持梁を建物ユニットの大梁に剛接合し、この大梁に補助梁の一端を剛接合し、且つ補助梁の他端を建物ユニットの別の梁に剛接合している。このため、バルコニー本体から大梁に作用する曲げモーメントと剪断力の両方が補助梁に作用し、補助梁は曲げモーメントだけでなく剪断力も負担するものとなり、補助梁が大断面となる。
【０００４】
▲２▼補助梁は一本物のＨ形鋼等にて構成され、曲げモーメントを負担するに足る一定の梁成の高さを必要とする結果、これによっても大断面となる。
【０００５】
▲３▼バルコニー本体に予め備えた支持梁を建物ユニットの大梁に接合するものであり、この接合完了まで、バルコニー本体は吊り具によって支持する必要があり、バルコニーの構築作業に困難を伴う。
【０００６】
本発明の課題は、バルコニーを建物本体に支持するために、建物本体に設ける補助梁を簡素にすることにある。
【０００７】
また、本発明の課題は、バルコニーの設置作業性を向上することにある。
【０００８】
【課題を解決するための手段】
請求項１記載の本発明は、建物本体の外側に突出して設けられるバルコニーの支持構造において、バルコニー本体を支持する支持梁を建物本体の大梁に接合し、上記大梁に上下の補助梁の各一端部をピン接合するとともに、それら上下の補助梁の各他端部を建物本体の構成材にピン接合してなるようにしたものである。
【０００９】
請求項２記載の本発明は、建物本体の外側に突出して設けられるバルコニーの支持構造において、バルコニー本体を支持する支持梁に設けた支持梁固定プレートを建物本体の大梁の外面に添設し、大梁の内面に添設した補助梁固定プレートと上記支持梁固定プレートで大梁を挟み、それら両固定プレートを大梁に接合し、上記補助梁固定プレートには上下の補助梁の各一端部をピン接合するとともに、それら上下の補助梁の各他端部を建物本体の構成材にピン接合してなるようにしたものである。
【００１０】
請求項３記載の本発明は、請求項１又は２記載の本発明において更に、前記建物本体が建物ユニットから構成され、前記バルコニー本体がバルコニー支持梁を予め備えたバルコニーユニットからなるようにしたものである。
【００１１】
請求項４記載の本発明は、請求項１〜３のいずれかに記載の本発明において更に、前記上下の補助梁の各他端部を、建物本体の前記大梁と間隔をおいて配設された別の梁にピン接合してなるようにしたものである。
【００１５】
請求項５記載の発明は、バルコニーを外側に突出して設けられる建物ユニットにおいて、バルコニー本体と分離した支持梁を予め建物ユニットの大梁に仮固定し、この支持梁を大梁の側傍に一時的に格納可能としたものである。
【００１６】
【作用】
請求項１、２の発明によれば下記(a)、(b)の作用がある。
(a)バルコニー本体のための支持梁を建物本体（建物ユニット）の大梁に接合し、この大梁に上下の補助梁の一端をピン接合し、且つ上下の補助梁の他端を建物本体（建物ユニット）の構成材にピン接合した。このため、バルコニー本体から大梁に作用する曲げモーメントと剪断力のうち、剪断力は大梁で負担し、上下の補助梁には曲げモーメントだけが作用するものとなるから、上下の補助梁は曲げモーメントだけを負担すれが足り、小断面になる。
【００１７】
(b)補助梁を上下に分割した結果、補助梁に作用する曲げモーメントは上補助梁に作用する引張力と、下補助梁に作用する圧縮力とに２分されるものとなり、上下の補助梁の間隔によって一定の梁成の高さを確保しながら、上下の補助梁の各断面を小断面にできる。また、上下の補助梁の合計重量も軽量となり、バルコニーの設置作業軽減にもなる。
【００１８】
請求項２の発明によれば下記(c)の作用がある。
(c)支持梁と上下の補助梁を大梁に接合するに際し、それらの梁端部を直に大梁に接合するものとせず、それぞれ支持梁固定プレートと補助梁固定プレートを用いたから、接合が安定する。
【００１９】
請求項３の発明によれば下記(d)の作用がある。
(d)上述(a)〜(c)において、建物本体を建物ユニットにて構成し、バルコニー本体をバルコニーユニットにて構成したから、建物の工場生産化率を高め、現地作業性を向上できる。
【００２０】
請求項４の発明によれば下記(e)の作用がある。
(e)上下の補助梁の他端部を、建物本体（建物ユニット）の別の梁に接合したから、接合が安定する。
【００２３】
請求項５の発明によれば下記(f)の作用がある。
(f)バルコニー本体と分離した支持梁を予め建物ユニットの大梁に仮固定し、この支持梁を大梁の側傍に一時的に格納した。従って、建物ユニットの運搬、吊り上げ作業や、現地での外壁作業に際し、支持梁が建物ユニットの外側に突出することなく、しかも支持梁を予め建物ユニットに接続でき、建物ユニットの取扱い作業性と、バルコニーの設置作業性を向上できる。
【００２４】
【発明の実施の形態】
図１は第１実施形態のバルコニー付ユニット建物を示す側面図、図２は図１の要部拡大図、図３は図２の平面図、図４は建物ユニットとバルコニーユニットを示す分解側面図、図５は支持梁を取出して示す斜視図、図６は上下の補助梁の他端接合構造の変形例を示す要部側面図、図７は第２実施形態のバルコニー付ユニット建物を示す側面図、図８は参考形態のバルコニー付ユニット建物を示す斜視図、図９は図８の側面図である。
【００２５】
（第１実施形態）（図１〜図６）
ユニット建物１は、図１〜図４に示す如く、複数の建物ユニット１０（下階建物ユニット１０Ａ、上階建物ユニット１０Ｂ）を左右上下に隣接して接合し、外壁２の外側に突出して設けられるバルコニー３を備える。
【００２６】
本実施形態において、建物ユニット１０は、図１、図４に示す如く、例えば４本の床大梁１１を矩形状に接合した床構造体１２の４コーナー部のそれぞれに柱（不図示）を立設し、骨組構成材としての天井梁を備えないものからなる。従って、本実施形態のユニット建物１では、上階建物ユニット１０Ｂの床構造体１２が下階建物ユニット１０Ａの天井部分を構成する。
【００２７】
また、本実施形態において、バルコニー３を構成するバルコニーユニット２０は、図４に示す如く、支持梁３０を分離したバルコニー本体２１にて構成される。バルコニー本体２１は、バルコニー床梁２２にバルコニー床面材２３、手摺２４等を取付けて構成されている。
【００２８】
然るに、ユニット建物１におけるバルコニー３の支持構造を、その施工手順とともに説明すれば、以下の通りになる。
【００２９】
(1) 上階建物ユニット１０Ｂの工場生産段階で、支持梁３０を用意する。支持梁３０は形鋼等からなり、その基端部の上下フランジに上下の取付板３０Ａ、３０Ｂを溶接してある。他方、上階建物ユニット１０Ｂの外壁２側の床大梁１１のウエブ外面に固定可能とされる支持梁固定プレート３１は、その前面の上下２位置に上下の接続板３１Ａ、３１Ｂを溶接してあり、支持梁３０の上下の取付板３０Ａ、３０Ｂのそれぞれを支持梁固定プレート３１の上下の接続板３１Ａ、３１Ｂのそれぞれに左右のボルト３２Ｌ、３２Ｒで接合可能とする。支持梁３０は上面にバルコニー本体２１のためのガイドピン３３を備える。
【００３０】
(2) 上階建物ユニット１０Ｂの工場生産段階で、補助梁４０（上下の補助梁４１、４２）を設ける。上下の補助梁４１、４２は形鋼等からなり、下補助梁４２の両端部には取付板４３、４４を溶接してある。他方、上階建物ユニット１０Ｂの外壁２側の床大梁１１のウエブ内面に固定可能とされる補助梁固定プレート４５は、その前面の上下２位置に上下の接続板４５Ａ、４５Ｂを溶接してあり、上補助梁４１の一端部を補助梁固定プレート４５の接続板４５Ａにボルト４６で、下補助梁４２の一端部を補助梁固定プレート４５の接続板４５Ｂにボルト４７でピン接合し、結果として上下の補助梁４１、４２の各一端部を補助梁固定プレート４５にピン接合する。また、上階建物ユニット１０Ｂの上記外壁２側の床大梁１１と間隔をおいて配設された反外壁２側の床大梁１１のウエブの上下２位置のそれぞれに、上下の固定プレート４８、４９を固定し（ボルト４８Ａ、４９Ａ）、上補助梁４１の他端部を固定プレート４８にボルト５１で、下補助梁４２の他端部を固定プレート４９にボルト５２でピン接合し、結果として上下の補助梁４１、４２の各他端部を反外壁２側の床大梁１１にピン接合する。
【００３１】
(3) 上階建物ユニット１０Ｂの工場生産段階で、上階建物ユニット１０Ｂの外壁２側の床大梁１１の外面に支持梁３０を仮固定し、同時に上階建物ユニット１０Ｂの外壁２側の床大梁１１に上下の補助梁４１、４２をピン接合する。即ち、支持梁３０に設けた支持梁固定プレート３１を上階建物ユニット１０Ｂの外壁２側の床大梁１１のウエブ外面に添設するとともに、上下の補助梁４１、４２の一端部をピン接合した前述の補助梁固定プレート４５を該床大梁１１のウエブ内面に添設し、両固定プレート３１、４５で該床大梁１１を挟み、両固定プレート３１、４５を高力ボルト５３で床大梁１１に剛接合する。これによって、上階建物ユニット１０Ｂの相対する床大梁１１の間への上下の補助梁４１、４２の取付けが完了し、両床大梁１１の上に床面材１３が貼り設けられる。
【００３２】
(4) 上述(3) において更に、支持梁３０を上階建物ユニット１０Ｂの床大梁１１のＣ形断面内（側傍）に一時的に格納する（図５）。即ち、支持梁３０の取付板３０Ａ、３０Ｂを左右のボルト３２Ｌ、３２Ｒのうちの一方のボルト３２Ｌだけを用いて、支持梁固定プレート３１の上下の接続板３１Ａ、３１Ｂに仮固定し、支持梁３０をボルト３２Ｌまわりに旋回し、支持梁３０を床大梁１１のＣ形断面内に格納する。
【００３３】
(5) ユニット建物１の建築現場で、上階建物ユニット１０Ｂの床大梁１１に一時的に格納してあった前述の支持梁３０を該床大梁１１に本固定する。即ち、支持梁３０をボルト３２Ｌまわりに旋回して床大梁１１のＣ形断面外に引き出し、支持梁３０の取付板３０Ａ、３０Ｂを左右のボルト３２Ｌ、３２Ｒにより支持梁固定プレート３１の上下の接続板３１Ａ、３１Ｂに本固定する。
【００３４】
(6) 上述(5) に続いて、バルコニーユニット２０のバルコニー本体２１を支持梁３０の上に吊り下ろして接合する。このとき、バルコニー本体２１のバルコニー床梁２２に設けてある被ガイド孔（不図示）を、支持梁３０の上面のガイドピン３３に嵌合して位置決めし、その後、バルコニー床梁２２を支持梁３０に固定する。
【００３５】
従って、本実施形態によれば、以下の作用がある。
▲１▼バルコニー本体２１のための支持梁３０を建物本体（建物ユニット１０Ｂ）の床大梁１１に接合し、この床大梁１１に上下の補助梁４１、４２の一端をピン接合し、且つ上下の補助梁４１、４２の他端を建物本体（建物ユニット１０Ｂ）の構成材（反外壁２側の床大梁１１）にピン接合した。このため、バルコニー本体２１から床大梁１１に作用する曲げモーメントと剪断力のうち、剪断力は床大梁１１で負担し、上下の補助梁４１、４２には曲げモーメントだけが作用するものとなるから、上下の補助梁４１、４２は曲げモーメントだけを負担すれが足り、小断面になる。
【００３６】
▲２▼補助梁４０を上下に分割した結果、補助梁４０に作用する曲げモーメントは上補助梁４１に作用する引張力と、下補助梁４２に作用する圧縮力とに２分されるものとなり、上下の補助梁４１、４２の間隔によって一定の梁成の高さを確保しながら、上下の補助梁４１、４２の各断面を小断面にできる。また、上下の補助梁４１、４２の合計重量も軽量となり、バルコニー３の設置作業軽減にもなる。
【００３７】
▲３▼支持梁３０と上下の補助梁４１、４２を床大梁１１に接合するに際し、それらの梁端部を直に床大梁１１に接合するものとせず、それぞれ支持梁固定プレート３１と補助梁固定プレート４５を用いたから、接合が安定する。
【００３８】
▲４▼上下の補助梁４１、４２の他端部を、建物本体（建物ユニット１０Ｂ）の別の梁（反外壁２側の床大梁１１）に接合したから、接合が安定する。
【００３９】
▲５▼バルコニー本体２１とその支持梁３０を分離し、小型軽量の支持梁３０を建物本体（建物ユニット１０Ｂ）に先付けするものとした。バルコニー本体２１の固定時には、既に支持梁３０が建物本体（建物ユニット１０Ｂ）に固定されており、バルコニー本体２１は支持梁３０の上に吊り下げて固定しさえすれば良く、バルコニー３の設置作業性を向上できる。
【００４０】
▲６▼上述▲５▼において、建物本体を建物ユニット１０Ｂにて構成し、バルコニー本体２１をバルコニーユニット２０にて構成したから、建物の工場生産化率を高め、現地作業性を向上できる。
【００４１】
▲７▼バルコニー本体２１と分離した支持梁３０を予め建物ユニット１０Ｂの床大梁１１に仮固定し、この支持梁３０を床大梁１１の側傍に一時的に格納した。従って、建物ユニット１０Ｂの運搬、吊り上げ作業や、現地での外壁作業に際し、支持梁３０が建物ユニット１０Ｂの外側に突出することなく、しかも支持梁３０を予め建物ユニット１０Ｂに接続でき、建物ユニット１０Ｂの取扱い作業性と、バルコニー３の設置作業性を向上できる。
【００４２】
尚、上下の補助梁４１、４２の各他端部を反外壁２側の床大梁１１にピン接合する構造は、図６に示す如く、上下の補助梁４１、４２の各他端部を重ねて単一のボルト５４で、該床大梁１１に溶接してある固定プレート５５に共締め状にピン接合しても良い。
【００４３】
（第２実施形態）（図７）
第２実施形態が第１実施形態と実質的に異なる点は、第１実施形態のバルコニーユニット２０が支持梁３０をバルコニー本体２１から分離して予め備えないものであったのに対し、バルコニーユニット２０が予め支持梁３０を備えるようにしたことにある。第２実施形態では、バルコニーユニット２０の全体を吊り具によって支持する等の状態下で、バルコニーユニット２０の支持梁３０を上階建物ユニット１０Ｂの床大梁１１に接合するものとなる。具体的には、支持梁３０に設けた支持梁固定プレート３１を床大梁１１の外面に添設し、床大梁１１の内面に添設した補助梁４１、４２の補助梁固定プレート４５と上記支持梁固定プレート３１とで床大梁１１を挟み、それら両固定プレート３１、４５を高力ボルト５３で床大梁１１に剛接合するものである。
【００４４】
（参考形態）（図８、図９）
参考形態が第１実施形態と実質的に異なる点は、第１実施形態の上階建物ユニット１０Ｂが相対する床大梁１１の間に配設される補助梁４０を上下の補助梁４１、４２に２分割したものであったのに対し、補助梁４０を単一材にて構成したことにある。補助梁４０は両端部に設けた固定プレート４０Ａ、４０Ｂを介してそれらの床大梁１１にボルト接合される。
【００４５】
そして、参考形態では、バルコニーユニット２０のための支持梁３０を第１実施形態と同様にバルコニー本体２１から分離するものとしたが、支持梁３０は第１実施形態とは異なり、上階建物ユニット１０Ｂの工場生産段階で床大梁１１に仮固定して該床大梁１１の側傍に一時的に格納されるものでなく、支持梁３０に溶接した支持梁固定プレート３１をユニット建物１の建築現場で床大梁１１固定するものとした。
【００４６】
尚、参考形態では、補助梁４０の一端部に設けた固定プレート４０Ａにガイドピン６０を設け、このガイドピン６０を床大梁１１に設けた挿通孔から外方に突出し、支持梁３０の支持梁固定プレート３１に設けてある被ガイド孔（不図示）をガイドピン６０に嵌合して位置決めし、その後、支持梁固定プレート３１を床大梁１１にボルト接合するようにしてある。
【００４７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の実施において、上下の補助梁の他端部は、大梁にピン接合されるものに限らず、建物本体（建物ユニット）の床面材、床小梁等の構成材にピン接合されるものであっても良い。
【００４８】
また、本発明の建物ユニットは、柱の上下両端部に床梁と天井梁を備えるものであっても良い。このとき、バルコニー本体の支持梁が接合される大梁、補助梁が接合される大梁は、上階建物ユニットの床梁に限らず、下階建物ユニットの天井梁であっても良い。
【００４９】
また、本発明の建物本体は、建物ユニットに限らず、一般の建物であっても良い。
【００５０】
【発明の効果】
以上のように本発明によれば、バルコニーを建物本体に支持するために、建物本体に設ける補助梁を簡素にすることができる。
【００５１】
また、本発明によれば、バルコニーの設置作業性を向上することができる。
【図面の簡単な説明】
【図１】  図１は第１実施形態のバルコニー付ユニット建物を示す側面図である。
【図２】  図２は図１の要部拡大図である。
【図３】  図３は図２の平面図である。
【図４】  図４は建物ユニットとバルコニーユニットを示す分解側面図である。
【図５】  図５は支持梁を取出して示す斜視図である。
【図６】  図６は上下の補助梁の他端接合構造の変形例を示す要部側面図である。
【図７】  図７は第２実施形態のバルコニー付ユニット建物を示す側面図である。
【図８】  図８は参考形態のバルコニー付ユニット建物を示す斜視図である。
【図９】  図９は図８の側面図である。
【符号の説明】
１  ユニット建物
３  バルコニー
１０、１０Ａ、１０Ｂ  建物ユニット（建物本体）
１１  床大梁（大梁）
２０  バルコニーユニット
２１  バルコニー本体
３０  支持梁
３１  支持梁固定プレート
４０  補助梁
４１  上補助梁
４２  下補助梁
４５  補助梁固定プレート
【図１】
0004351774.tif 000002
【図２】
0004351774.tif 000003
【図３】
0004351774.tif 000004
【図４】
0004351774.tif 000005
【図５】
0004351774.tif 000006
【図６】
0004351774.tif 000007
【図７】
0004351774.tif 000008
【図８】
0004351774.tif 000009
【図９】
0004351774.tif 000010